(57)【要約】【課題】画像形成装置を大型化することなく、当該画像形成装置において情報を出力する光が生体認証に影響を与えることを回避すること。【解決手段】画像形成装置は、操作パネル１７０を含む。図２は、図１の操作パネル１７０の構成を概略的に示す図である。ユーザーが、その腕ＡＲに装着した生体認証装置２００をタッチエリア１７３Ａに翳すと、生体認証装置２００は、操作パネル１７０内の近接通信装置と通信する。生体認証装置２００が生体情報を検出している期間は、分図Ｂに示されるように、ディスプレイ１７１が消灯される。【選択図】図２
2018098554.tif 000002
【特許請求の範囲】
【請求項１】
生体認証装置と近接通信するように構成された通信部と、
表示部と、
前記生体認証装置によって検出された生体情報を用いて認証処理を実行するように構成されている制御部とを備え、
前記制御部は、前記通信部を介して前記生体認証装置から当該生体認証装置が光学的に生体情報を検出することを表わす情報を受信した場合、前記生体認証装置が生体情報を検出しているときに、前記表示部から出力され前記生体認証装置に入射する光の量を低減するための制御を実行するように構成されている、画像形成装置。
【請求項２】
前記制御部は、前記表示部が発する光量を低減させることにより、前記制御を実行するように構成されている、請求項１に記載の画像形成装置。
【請求項３】
前記制御部は、前記表示部の消灯中に前記生体認証装置から当該生体認証装置が光学的に生体情報を検出することを表わす情報を受信した場合には、前記生体認証装置による前記生体情報の検出の終了後に前記表示部を点灯させるように構成されている、請求項１または請求項２に記載の画像形成装置。
【請求項４】
音声出力部をさらに備え、
前記制御部は、前記制御の実行中に、前記音声出力部による音声の出力および外部の表示装置による報知の少なくとも一方により、当該制御が実行されていることを報知するように構成されている、請求項１〜請求項３のいずれか１項に記載の画像形成装置。
【請求項５】
前記制御は、前記表示部で前記生体認証装置の配置に関するガイダンスを表示することを含む、請求項１〜請求項４のいずれか１項に記載の画像形成装置。
【請求項６】
前記表示部を変位させるための変位部材をさらに備え、
前記制御部は、前記表示部が光を発生する角度を変更するように前記変位部材を駆動させることにより、前記制御を実行するように構成されている、請求項１〜請求項５のいずれか１項に記載の画像形成装置。
【請求項７】
前記制御部は、少なくとも一度前記認証処理に失敗したことを条件として、前記制御を実行するように構成されている、請求項１〜請求項６のいずれか１項に記載の画像形成装置。
【発明の詳細な説明】
【技術分野】
【０００１】
本開示は、画像形成装置に関し、特に、生体情報を検出する生体認証装置と通信可能な画像形成装置に関する。
【背景技術】
【０００２】
従来、指紋や虹彩、血管パターンといった個人の体の一部を鍵として用いる生体認証技術について、種々の提案がなされている。たとえば、特開２０１５−００１８４３号公報（特許文献１）は、認証の対象となる生体の適切な配置を提案する生体認証装置を開示している。特開２０１４−１４６０８０号公報（特許文献２）は、認証の対象となる生体が配置されているか否かをテンプレートを用いて判断する、生体認証装置を開示している。特開２００９−２７６８６０号公報（特許文献３）は、生体部位が置かれることにより密閉状態に覆われる程度の大きさの開口部を有する筐体を有し、当該開口部に置かれた生体部位を撮像する、生体パターン撮像装置を開示している。
【０００３】
また、従来、ＭＦＰ（Multi-Functional  Peripheral）等の画像形成装置において、認証技術を利用してユーザーを認証する技術が提案されている。
【先行技術文献】
【特許文献】
【０００４】
【特許文献１】特開２０１５−００１８４３号公報
【特許文献２】特開２０１４−１４６０８０号公報
【特許文献３】特開２００９−２７６８６０号公報
【発明の概要】
【発明が解決しようとする課題】
【０００５】
画像形成装置は、ＬＥＤ（Light  Emitting  Diode）ランプおよび／または操作パネルを含む表示装置を備える場合がある。生体認証は、指紋や光彩等を光学的に読み取って、個人を認証する場合がある。表示装置が発する光の波長と生体認証の検出用の光の波長とが重複した場合、前者の光が生体認証の検出光にノイズとして混入する場合がありえる。したがって、画像形成装置において、情報出力用の光が生体認証に影響を与える場合があり得る。
【０００６】
一方で、画像形成装置は、特にオフィスで利用されるような場合、設置面積の制約等の観点から小型化が望まれる。このことから、画像形成装置において、生体認証が行なわれる場所の近傍に情報を出力する部分が配置されることを回避できない場合があり得る。
【０００７】
本開示は、係る実情に鑑み考え出されたものであり、その目的は、画像形成装置を大型化することなく、当該画像形成装置において情報を出力する光が生体認証に影響を与えることを回避することである。
【課題を解決するための手段】
【０００８】
本開示のある局面に従うと、生体認証装置と近接通信するように構成された通信部と、表示部と、生体認証装置によって検出された生体情報を用いて認証処理を実行するように構成されている制御部とを備え、制御部は、生体認証装置が光学的に生体情報を検出することを表わす情報を通信部を介して生体認証装置から受信した場合、生体認証装置が生体情報を検出しているときに、表示部から出力され生体認証装置に入射する光の量を低減するための制御を実行するように構成されている、画像形成装置が提供される。
【０００９】
制御部は、表示部が発する光量を低減させることにより、制御を実行するように構成されていてもよい。
【００１０】
制御部は、表示部の消灯中に生体認証装置から当該生体認証装置が光学的に生体情報を検出することを表わす情報を受信した場合には、生体認証装置による生体情報の検出の終了後に表示部を点灯させるように構成されていてもよい。
【００１１】
画像形成装置は、音声出力部をさらに備えていてもよい。制御部は、制御の実行中に、音声出力部による音声の出力および外部の表示装置による報知の少なくとも一方により、当該制御が実行されていることを報知するように構成されていてもよい。
【００１２】
上記の制御は、表示部で生体認証装置の配置に関するガイダンスを表示することを含んでもよい。
【００１３】
画像形成装置は、表示部を変位させるための変位部材をさらに備えていてもよい。制御部は、表示部が光を発生する角度を変更するように変位部材を駆動させることにより、上記制御を実行するように構成されていてもよい。
【００１４】
制御部は、少なくとも一度認証処理に失敗したことを条件として、上記制御を実行するように構成されていてもよい。
【発明の効果】
【００１５】
本開示によれば、制御部は、通信部を介して生体認証装置から生体認証装置が光学的に生体情報を検出することを表わす情報を受信した場合、生体認証装置が生体情報を検出しているときに、表示部から出力され生体認証装置に入射する光の量を低減するための制御を実行する。これにより、画像形成装置を大型化することなく、当該画像形成装置において情報を出力する光が生体認証に影響を与えることが回避され得る。
【図面の簡単な説明】
【００１６】
【図１】本開示に係るＭＦＰの外観を示す図である。
【図２】図１の操作パネルの構成を概略的に示す図である。
【図３】ＭＦＰのハードウェア構成を概略的に示す図である。
【図４】ＭＦＰの機能ブロックの一例を示す図である。
【図５】ＭＦＰがスリープ状態から復帰するときのディスプレイの表示態様の変化を説明するための図である。
【図６】ディスプレイの光量の低減に伴う音声ガイダンスを説明するための図である。
【図７】ディスプレイにおける、生体認証装置の配置をガイドする画面の表示例を説明するための図である。
【図８】ある実施の形態における、ＭＦＰのディスプレイの表示態様の変化を説明するための図である。
【図９】ＭＦＰにおける操作パネル近傍の構成の変形例を示す図である。
【図１０】図９の例に従ったＭＦＰのハードウェア構成を示す図である。
【図１１】図９の例に従ったＭＦＰの機能ブロック図である。
【図１２】図９の認証用ユニットと操作パネルの相対的な位置関係の変化の一例を説明するための図である。
【図１３】図９の例に従ったＭＦＰにおける、認証用ユニットと操作パネルの位置関係の変化の流れを説明するための図である。
【図１４】ユーザーを認証してＭＦＰに当該ユーザーをログインさせるために実行する処理の流れを表わすフローチャートである。
【図１５】ユーザーを認証してＭＦＰに当該ユーザーをログインさせるために実行する処理の流れを表わすフローチャートである。
【図１６】ユーザーを認証してＭＦＰに当該ユーザーをログインさせるために実行する処理の流れを表わすフローチャートである。
【図１７】ユーザーを認証してＭＦＰに当該ユーザーをログインさせるために実行する処理の流れを表わすフローチャートである。
【図１８】ユーザーを認証してＭＦＰに当該ユーザーをログインさせるために実行する処理の流れを表わすフローチャートである。
【図１９】認証処理のサブルーチンのフローチャートである。
【発明を実施するための形態】
【００１７】
以下に、図面を参照しつつ、画像形成装置の実施の形態について説明する。以下の説明では、同一の部品および構成要素には同一の符号を付してある。それらの名称および機能も同じである。したがって、これらの説明は繰り返さない。
【００１８】
［開示の概要］
図１は、本開示に係るＭＦＰの外観を示す図である。図１に示されたＭＦＰ１００は、画像形成装置の一例である。ＭＦＰ１００は、操作パネル１７０を含む。図２は、図１の操作パネル１７０の構成を概略的に示す図である。
【００１９】
図２の分図Ａおよび分図Ｂに示されるように、操作パネル１７０は、ディスプレイ１７１と、ハードウェアキー群１７２Ａと、タッチエリア１７３Ａとを含む。操作パネル１７０は、その内部であってタッチエリア１７３Ａの近傍に、近接通信装置（後述する近接通信部１７３（図３））を備える。分図Ａに示されたディスプレイ１７１は、点灯して、コピーキー等の複数のソフトウェアキーを表示する。分図Ｂに示されたディスプレイ１７１は、消灯しているため、ソフトウェアキーを表示していない。
【００２０】
分図Ｂに示されるように、ユーザーが、その腕ＡＲに装着した生体認証装置２００をタッチエリア１７３Ａに翳すと、生体認証装置２００は、操作パネル１７０内の近接通信装置と通信する。
【００２１】
生体認証装置２００は、光学的に生体情報を検出する。生体情報の検出の一例は、ユーザーの指紋の光学的な読取である。他の例は、光彩の光学的な読取である。ＭＦＰ１００は、生体認証装置２００が生体情報を検出している期間は、分図Ｂに示されるように、ディスプレイ１７１を消灯させる。これにより、ＭＦＰ１００は、ディスプレイ１７１から発する光が生体認証装置２００の生体情報の光学的な検出に影響を与えることを極力回避できる。生体認証装置２００は、生体情報の検出が終了すると、検出された生体情報を操作パネル１７０内の近接通信装置に送信する。生体認証装置２００における生体情報の検出が終了すると、分図Ａに示されるように、ディスプレイ１７１は再度点灯する。
【００２２】
生体認証装置２００が生体情報を検出しているとき、ディスプレイ１７１は、少なくとも発する光の量を低減すればよく、図２の分図Ｂに示されたように消灯する必要はない。
【００２３】
［ハードウェア構成］
図３は、ＭＦＰ１００のハードウェア構成を概略的に示す図である。
【００２４】
図３を参照して、ＭＦＰ１００は、全体を制御するためのＣＰＵ（Central  Processing  Unit）１５０、プログラムおよびデータを格納するための記憶部１６０、操作パネル１７０を含む。
【００２５】
記憶部１６０は、ＣＰＵ１５０により実行されるプログラムおよび各種データを記憶する。記憶部１６０に格納されるデータは、ユーザー情報１６１を含む。ユーザー情報１６１は、たとえば、ＭＦＰ１００の操作（または利用）を許可するユーザーを特定する情報を規定する。ユーザーを特定する情報の一例は、ＭＦＰ１００の使用を許可されているユーザーの指紋の画像である。他の例は、ＭＦＰ１００の使用を許可されているユーザーの指紋の画像における特徴量である。
【００２６】
操作パネル１７０は、ディスプレイ１７１と、操作部１７２と、近接通信部１７３と、スピーカー１７４とを含む。ディスプレイ１７１の一例は、液晶表示装置である。ディスプレイ１７１の他の例は、プラズマディスプレイである。操作部１７２は、ＭＦＰ１００に対する操作の入力を受け付ける。操作部１７２は、ハードウェアキー群１７２Ａ（図２）に含まれるハードウェアキーのそれぞれ、および、ディスプレイ１７１に表示される複数のソフトウェアキーのそれぞれを含む。ディスプレイ１７１に表示されるソフトウェアキーは単数であってもよい。近接通信部１７３は、たとえば、ISO/IEC  14443等に従うNear  Field  Communication（ＮＦＣ）を行なうための回路を含む。スピーカー１７４は、ＣＰＵ１５０の制御に従って音声を出力する。
【００２７】
ＭＦＰ１００は、さらに、画像処理部１５１と、画像形成部１５２と、画像読取部１５３と、ファクシミリ通信部１５４と、ネットワーク通信部１５５とを含む。画像処理部１５１は、入力された画像に対して拡大・縮小を含む各種の処理を施す。画像形成部１５２は、感光体等の、記録用紙に画像を形成するための要素を含む。画像読取部１５３は、スキャナー等の、原稿の画像データを生成するための要素を含む。ファクシミリ通信部１５４は、モデム等の、ファクシミリ通信により画像データの送受信するための要素を含む。ネットワーク通信部１５５は、ネットワークカード等の、ネットワークを介してデータ通信をするための要素を含む。画像処理部１５１、画像形成部１５２、画像読取部１５３、ファクシミリ通信部１５４、および、ネットワーク通信部１５５のそれぞれの機能は、画像形成装置においてよく知られたものであるから、ここでは詳細な説明は繰返さない。
【００２８】
［機能構成］
図４は、ＭＦＰ１００の機能ブロックの一例を示す図である。図４に示されるように、ＭＦＰ１００は、スキャン制御部１０１、プリント制御部１０２、コピー制御部１０３、通信制御部１０４、ユーザー管理部１０５、データ管理部１０６、パネル表示部１０７、ネットワーク制御部１０８、および、ファクシミリ制御部１０９として機能する。
【００２９】
スキャン制御部１０１は、たとえば画像読取部１５３を制御するＣＰＵ１５０に対応し、原稿のスキャンを実現する。
【００３０】
プリント制御部１０２は、たとえば画像形成部１５２を制御するＣＰＵ１５０に対応し、画像形成動作を実現する。
【００３１】
コピー制御部１０３は、たとえば画像読取部１５３および画像形成部１５２を制御するＣＰＵ１５０に対応し、ＭＦＰ１００におけるコピー動作を実現する。
【００３２】
通信制御部１０４は、たとえば近接通信部１７３を制御するＣＰＵ１５０に対応し、生体認証装置２００等の他の装置とのＭＦＰ１００との近接通信を実現する。
【００３３】
ユーザー管理部１０５は、たとえばユーザー情報１６１（図３）を用いてＭＦＰ１００全体の動作を制御するＣＰＵ１５０に対応し、ユーザー認証の結果に従ったＭＦＰ１００の動作を実現する。
【００３４】
データ管理部１０６は、たとえば記憶部１６０に登録されるファイルを管理するＣＰＵ１５０に対応し、ＭＦＰ１００におけるデータの格納を管理する。
【００３５】
パネル表示部１０７は、たとえばディスプレイ１７１における表示（表示される内容および／または光量）を制御するＣＰＵ１５０に対応し、ディスプレイ１７１における表示を管理する。
【００３６】
ネットワーク制御部１０８は、たとえばネットワーク通信部１５５を制御するＣＰＵ１５０に対応し、ネットワークを介した他の装置とＭＦＰ１００との通信を制御する。
【００３７】
ファクシミリ制御部１０９は、たとえばファクシミリ通信部１５４を制御するＣＰＵ１５０に対応し、他の装置とＭＦＰ１００とのファクシミリ通信を制御する。
【００３８】
［動作の具体例］
（動作１）
ある実施の形態において、ＣＰＵ１５０は、ディスプレイ１７１が図２の分図Ａに示されたように点灯している場合、タッチエリア１７３Ａに生体認証装置２００が翳され、かつ、生体認証装置２００が生体情報を光学的に検出していれば、ディスプレイ１７１が発する光量を低減させる（図２の分図Ｂ）。
【００３９】
この例および以降の各例において、光量の低減は以下のような概念を含み得る。
すなわち、光量を低減されるのは、ディスプレイ１７１が発する光のうち、一部の波長（生体認証装置２００が生体情報の検出に利用する波長、および、当該波長に対して一定の関係を有する波長（波長領域が近い、等））のみであってもよい。
【００４０】
また、光量を低減されるのは、ディスプレイ１７１に限定されない。ハードウェアキー群１７２Ａに属するキーのうち、タッチエリア１７３Ａ近傍に配置されたものであって、ＬＥＤランプを備えるものがある場合、ＣＰＵ１５０は、当該ＬＥＤランプの光量を低減（明度を低く、または、消灯）させてもよい。
【００４１】
（動作２）
ある実施の形態において、ＭＦＰ１００は、スリープ状態ではディスプレイ１７１を消灯し、スリープ状態から復帰すると、ディスプレイ１７１を点灯する。ＭＦＰ１００は、スリープ状態から復帰する際、タッチエリア１７３Ａに生体認証装置２００が翳され、かつ、生体認証装置２００が生体情報を光学的に検出していれば、すぐにディスプレイ１７１を点灯しない。ＭＦＰ１００は、生体認証装置２００における生体情報の検出が終了した後、ディスプレイ１７１が発する光量を低減させる。
【００４２】
図５は、ＭＦＰ１００がスリープ状態から復帰するときのディスプレイ１７１の表示態様の変化を説明するための図である。図５において、分図Ａ−１，Ａ−２，Ａ−３は、タッチエリア１７３Ａに生体認証装置２００が翳されていない場合の変化を示し、分図Ｂ−１，Ｂ−２，Ｂ−３は、タッチエリア１７３Ａに生体認証装置２００が翳されている場合の変化を示す。
【００４３】
まず、分図Ａ−１，Ａ−２，およびＡ−３によって示される表示態様の変化について説明する。分図Ａ−１は、スリープ状態におけるディスプレイ１７１の状態を示す。スリープ状態では、ディスプレイ１７１は消灯している。ここで、スリープ状態から通常状態へ復帰する条件が成立すると、ディスプレイ１７１の表示は、分図Ａ−２に示された状態を経て、分図Ａ−３に示された状態へと移行する。通常状態へ復帰する条件の一例は、生体認証装置２００との通信の開始である。通常状態へ復帰する条件の他の例は、ハードウェアキー群１７２Ａのうち特定のキー（たとえば、スタートキー）が操作されたことである。
【００４４】
分図Ａ−２において、ディスプレイ１７１は、点灯し、ＭＦＰ１００が通常状態への復帰の途中であることを示す画面（アニメーションの一部）を表示する。
【００４５】
分図Ａ−３において、ディスプレイ１７１は、点灯し、ユーザーからの操作の入力を待つ画面（以下、「操作画面」ともいう）を表示する。
【００４６】
次に、分図Ｂ−１，Ｂ−２，およびＢ−３によって示される表示態様の変化について説明する。分図Ｂ−１は、スリープ状態におけるディスプレイ１７１の状態を示す。分図Ｂ−１に示されるスリープ状態では、分図Ａ−１において示されたのと同様に、ディスプレイ１７１は消灯している。
【００４７】
分図Ｂ−１に示された状態では、タッチエリア１７３Ａに、ユーザーの腕ＡＲに装着された生体認証装置２００が翳されている。分図Ｂ−１に示された状態において、たとえば、ＣＰＵ１５０は、近接通信部１７３を介して生体認証装置２００と通信することにより、生体認証装置２００に生体情報の検出を指示する。
【００４８】
分図Ｂ−２に示されるように、生体認証装置２００は、ＣＰＵ１５０からの指示に応じて、生体情報の検出を開始する。分図Ｂ−１から分図Ｂ−２までの時間の変化は、分図Ａ−１から分図Ａ−２までの時間の変化に相当する。分図Ａ−２のディスプレイ１７１は、ＭＦＰ１００が通常状態への復帰の途中であることを示す画面を表示しているのに対し、分図Ｂ−２のディスプレイ１７１は、消灯している。これは、生体認証装置２００が生体情報の検出中であるため、ＣＰＵ１５０が、ディスプレイ１７１を、生体認証装置２００が生体情報の検出中ではない場合（分図Ａ−２）よりも発する光量が低くなるように制御しているからである。
【００４９】
分図Ｂ−３に示されるように、生体認証装置２００における生体情報の検出が終了すると、ＣＰＵ１５０は、ディスプレイ１７１に、通常と同様の表示、すなわち、分図Ａ−１〜Ａ−３として示された流れに従った表示を実行させる。分図Ｂ−１から分図Ｂ−３までの時間の変化は、分図Ａ−１から分図Ａ−３までの時間の変化に相当する。このことから、分図Ｂ−３のディスプレイ１７１は、分図Ａ−３と同様の表示を実行する。
【００５０】
以上、図５を参照して説明された例では、通常、ディスプレイ１７１において一連の表示の流れが想定される（分図Ａ−１〜Ａ-３）。このような場合において、当該表示の流れが実行されるべき期間において、近接通信部１７３と通信中の生体認証装置２００が生体情報を検出しているときには、ＣＰＵ１５０は、ディスプレイ１７１が発する光量を低減させるように、ディスプレイ１７１を制御する（分図Ｂ−２）。
【００５１】
（動作３）
ある実施の形態において、ＭＦＰ１００は、生体認証装置２００における生体情報の検出に応じてディスプレイ１７１の光量を低減させたとき、音声にてガイダンスを行なう。図６は、ディスプレイ１７１の光量の低減に伴う音声ガイダンスを説明するための図である。
【００５２】
図６は、分図Ａ，分図Ｂ，および分図Ｃを含む。ある実施の形態において、ＣＰＵ１５０は、ユーザー認証が必要な局面において、ユーザーに生体認証装置２００をタッチエリア１７３Ａに翳すことを指示する。一例では、ＣＰＵ１５０は、スピーカー１７４を通じて、音声「ログインするには、認証装置をかざしてください。」を出力する。分図Ａは、ユーザーが、当該音声に従って、タッチエリア１７３Ａ近傍に生体認証装置２００を近づけた場面を表す。
【００５３】
生体認証装置２００は、タッチエリア１７３Ａに翳されたことに応じて、生体情報の検出を開始する。一例では、ＣＰＵ１５０は、生体認証装置２００に、生体情報の検出を指示し、当該指示に従って、生体認証装置２００は生体情報の検出を開始する。
【００５４】
分図Ｂは、生体認証装置２００が生体情報の検出を開始したことに応じて、ディスプレイ１７１の光量が低減された状態を表す。このとき、ＣＰＵ１５０は、スピーカー１７４を通じて、音声「認証中です。」を出力してもよい。これにより、ユーザーは、ディスプレイ１７１の光量が低減された理由が、生体認証装置２００が生体情報の検出を実行しているからであることを理解し得る。
【００５５】
ＣＰＵ１５０は、生体情報の検出結果に従って、さらに音声を出力してもよい。すなわち、ＣＰＵ１５０は、たとえば、生体認証装置２００に生体情報の検出を指示してから一定時間内に生体認証装置２００から適切な（ユーザーとして認証され得る）検出結果が送信されなかった場合、生体認証装置２００に再度の生体情報の検出を指示してもよく、この場合、音声「認証中です。もう一度、機器をかざしてください。」を出力することにより、ユーザーに生体認証装置２００を引き続きタッチエリア１７３Ａに翳すことを促してもよい。
【００５６】
ＣＰＵ１５０は、たとえば生体認証装置２００から適切な検出結果を受信したことにより、ユーザー認証を完了させると、音声「ユーザー認証が完了しました。」を出力することにより、ユーザーに認証の完了を報知してもよい。
【００５７】
ユーザー認証が完了すると、ＣＰＵ１５０は、ディスプレイ１７１の光量を元に戻す。分図Ｃは、ディスプレイ１７１の光量が元に戻された状態を表す。なお、図６において、分図Ａのディスプレイ１７１は、認証前のユーザーに提示される画面を表示し、分図Ｃのディスプレイ１７１は、認証が完了したユーザーに提示される画面を表示している。
【００５８】
（動作４）
ある実施の形態において、ＭＦＰ１００は、タッチエリア１７３Ａに翳された生体認証装置２００が生体情報を検出しているときに、ディスプレイ１７１において、生体認証装置２００の配置をガイドする画面を表示してもよい。図７は、ディスプレイ１７１における、生体認証装置の配置をガイドする画面の表示例を説明するための図である。
【００５９】
図７は、分図Ａ，分図Ｂ，および分図Ｃを含む。分図Ａは、ユーザーがタッチエリア１７３Ａ近傍に生体認証装置２００を近づけた場面を表す。
【００６０】
分図Ｂは、生体認証装置２００が生体情報の検出を開始したことに応じて、ディスプレイ１７１が生体認証装置の配置をガイドする画面を表示している場面を表す。ディスプレイ１７１には、操作パネルとユーザーの手（腕）を模式的に示す絵が表示されている。当該絵において、操作パネルの右側にユーザーの手（腕）が配置されている。当該絵を見ることにより、ユーザーは、生体認証装置２００を装着している自分の手を操作パネル１７０の右側に配置することを求められていることを認識する。ＣＰＵ１５０は、さらに、スピーカー１７４を通じて、音声「操作パネルの右側に腕を置いてください。」を出力してもよい。
【００６１】
分図Ｂのディスプレイ１７１が発する光量は、分図Ａのディスプレイ１７１が発する光量よりも低い。さらに、分図Ｂのディスプレイ１７１が表示する画面において、操作パネルとユーザーの手（腕）の絵は、ディスプレイ１７１の左寄りに、すなわち、タッチエリア１７３Ａから離れた位置に、配置されている。これらにより、タッチエリア１７３Ａ近傍に位置する生体認証装置２００に、ディスプレイ１７１から発せられる光が届くことが極力回避され得る。
【００６２】
生体認証装置２００における生体情報の検出が終了すると、ＣＰＵ１５０は、分図Ｃに示されるように、ディスプレイ１７１の表示を正常なものに戻す。これにより、ディスプレイ１７１の表示の光量は、通常のものに戻される。なお、図７においても、図６と同様に、分図Ａのディスプレイ１７１は認証前のユーザーに提示される画面を表示し、分図Ｃのディスプレイ１７１は認証されたユーザーに提示される画面を表示している。
【００６３】
（動作５）
ＣＰＵ１５０は、生体認証装置２００に初めて生体情報の検出を指示するときに、図７の分図Ｂ等を用いて説明されたようにディスプレイ１７１の光量を低減させてもよい。ＣＰＵ１５０は、生体認証装置２００に初めて生体情報の検出を指示するときには上記光量の低減は行なうことなく図７の分図Ａに示されたようなディスプレイ１７１の表示を保持し、生体認証装置２００における生体情報の検出に失敗したことを条件として、上記光量の低減を実行してもよい。図８は、ある実施の形態における、ＭＦＰ１００のディスプレイ１７１の表示態様の変化を説明するための図である。
【００６４】
図８は、分図Ａ，分図Ｂ，分図Ｃ，および分図Ｄを含む。分図Ａは、ユーザーがタッチエリア１７３Ａ近傍に生体認証装置２００を近づけた場面を表す。図８の例では、ＣＰＵ１５０は、生体認証装置２００から生体情報の検出の失敗が通知されるまでは、ディスプレイ１７１における表示（光量）を維持する。
【００６５】
分図Ｂは、生体認証装置２００が生体情報の検出を開始した後、生体認証装置２００からＭＦＰ１００に生体情報の検出の失敗を通知している場面を表わす。ＣＰＵ１５０は、生体認証装置２００から生体情報の検出の失敗を通知されたことに応じて、ディスプレイ１７１から発する光量を低減させる。
【００６６】
分図Ｃは、ディスプレイ１７１の光量が分図Ａに示された状態から低減された場面を示す。分図Ｃでは、光量の低減の一例として、ディスプレイ１７１が消灯されている。
【００６７】
その後、生体認証装置２００から生体情報の検出の終了を通知されると、ＣＰＵ１５０は、ディスプレイ１７１の光量を元に戻す。これにより、ディスプレイ１７１は、分図Ｃに示されるように、表示を再開する。なお、図８においても、図６と同様に、分図Ａのディスプレイ１７１は認証前のユーザーに提示される画面を表示し、分図Ｄのディスプレイ１７１は認証されたユーザーに提示される画面を表示している。
【００６８】
なお、生体情報の検出の失敗の一例は、生体認証装置２００から、適切な検出結果が送信されなかったことである。生体情報の検出の失敗の他の例は、生体認証装置２００から送信された検出結果にノイズが所定量以上含まれている場合である。生体情報の検出の失敗のさらに他の例は、生体認証装置２００から、生体情報の検出に失敗したことを示す情報が送信されたことである。
【００６９】
（動作６）
ある実施の形態において、ＭＦＰ１００は、タッチエリア１７３Ａおよび近接通信部１７３を、操作パネル１７０に対して独立した部材に実装していてもよい。図９は、ＭＦＰ１００における操作パネル１７０近傍の構成の変形例を示す図である。
【００７０】
図９に示されるように、ＭＦＰ１００は、操作パネル１７０に対して離間した認証用ユニット１７３０を含む。操作パネル１７０と認証用ユニット１７３０とは、軸１８０に支持されている。認証用ユニット１７３０の表面にはタッチエリア１７３Ａが設けられている。図１０は、図９の例に従ったＭＦＰ１００のハードウェア構成を示す図である。
【００７１】
図１０に示されるように、認証用ユニット１７３０は、近接通信部１７３を内包する。図１０の例において、ＭＦＰ１００は、操作パネル１７０を図９の矢印Ｒ方向に回動させるアクチュエーター１７５をさらに含む。なお、図９および図１０に示された例では、認証用ユニット１７３０と操作パネル１７０の相対的な位置が変更されればよい。すなわち、操作パネル１７０が回動される代わりに、または、操作パネル１７０が回動されるのに加えて、認証用ユニット１７３０が回動されてもよい。また、相対的な位置の変更の態様は、回動に限定されない。
【００７２】
図１１は、図９の例に従ったＭＦＰ１００の機能ブロック図である。図１１に示されるように、ＭＦＰ１００は、図４に示された例に加えて、姿勢制御部１１０をさらに含む。姿勢制御部１１０は、認証用ユニット１７３０と操作パネル１７０の相対的な位置関係を制御する機能を有し、ＣＰＵ１５０とアクチュエーター１７５とによって実現される。
【００７３】
図１２は、図９の認証用ユニット１７３０と操作パネル１７０の相対的な位置関係の変化の一例を説明するための図である。図１２の分図Ａと分図Ｂのそれぞれは、操作パネル１７０と認証用ユニット１７３０を左方から見た状態を表わす。
【００７４】
図１２において、分図Ａは、タッチエリア１７３Ａに、生体情報を検出している生体認証装置２００が翳されていない状態を示す。この状態では、操作パネル１７０の正面は、認証用ユニット１７３０の正面とほぼ同一の方向を向いている。これにより、分図Ａでは、認証用ユニット１７３０と操作パネル１７０はほぼ重なって示されている。
【００７５】
分図Ｂは、タッチエリア１７３Ａに、生体情報を検出している生体認証装置２００が翳されていない状態を示す。この状態では、操作パネル１７０は、分図Ａに示された状態に対して矢印ＡＸで示される向きに回動される。これにより、分図Ｂでは、操作パネル１７０が、ディスプレイ１７１から発せられる光が、タッチエリア１７３Ａに翳される生体認証装置２００に到達しにくい位置（向き）に配置されている。
【００７６】
図１３は、図９の例に従ったＭＦＰ１００における、認証用ユニット１７３０と操作パネル１７０の位置関係の変化の流れを説明するための図である。図１３は、分図Ａ，分図Ｂ，および分図Ｃを含む。分図Ａは、ユーザーが認証用ユニット１７３０のタッチエリア１７３Ａ近傍に生体認証装置２００を近づけた場面を表す。
【００７７】
図１３の分図Ｂは、生体認証装置２００が生体情報の検出を開始したことに応じて、操作パネル１７０の位置を、図１２の分図Ｂに示されたように回動された状態を示す。図１３の分図Ｂの操作パネル１７０の状態は、図１２の分図Ｂに示された状態に相当する。図１３の分図Ｂにおいて示された矢印ＡＸは、図１２の分図Ａに示された矢印ＡＸに相当する。
【００７８】
なお、分図Ｂのディスプレイ１７１が発する光量は、分図Ａのディスプレイ１７１が発する光量よりも低くされてもよい。ＣＰＵ１５０は、生体認証装置２００に初めて生体情報の検出を指示するときに、分図Ｂを用いて説明されたように操作パネル１７０を回動させてもよい。ＣＰＵ１５０は、生体認証装置２００に初めて生体情報の検出を指示するときには操作パネル１７０を回動させることなく分図Ａに示された回動位置に保持し、生体認証装置２００における生体情報の検出に失敗したことを条件として、操作パネル１７０を分図Ｂに示されるように回動させてもよい。
【００７９】
生体認証装置２００における生体情報の検出が終了すると、ＣＰＵ１５０は、図１３の分図Ｃに示されるように、操作パネル１７０の位置を元の位置（分図Ａに示されたような位置）に戻す。ＣＰＵ１５０は、ディスプレイ１７１の表示の光量を低減させていた場合には、通常の光量に戻す。なお、図１３においても、図６と同様に、分図Ａのディスプレイ１７１は認証前のユーザーに提示される画面を表示し、分図Ｃのディスプレイ１７１は認証されたユーザーに提示される画面を表示している。
【００８０】
［処理の流れ］
図１４〜図１８は、ユーザーを認証してＭＦＰ１００に当該ユーザーをログインさせるために実行する処理の流れを表わすフローチャートである。ＣＰＵ１５０は、たとえば記憶部１６０に格納されるプログラムを実行することにより、図１４〜図１８に示される処理を実現させる。以下、処理内容を説明する。
【００８１】
まず、図１４を参照して、ステップＳ１００で、ＣＰＵ１５０は、近接通信部１７３を介して外部の装置との通信を開始するための処理を実行する。外部の装置との接続が確立すると、制御はステップＳ１１０へ進む。ＣＰＵ１５０は、ステップＳ１００で、外部の装置のユーザーを特定する情報を取得してもよい。ユーザーを特定する情報の一例は、ユーザーＩＤである。
【００８２】
ステップＳ１１０で、ＣＰＵ１５０は、ＭＦＰ１００に、ステップＳ１００で接続を確立させた外部の装置のユーザーが、ＭＦＰ１００において「未ログイン」の状態であるか否かを判断する。ＣＰＵ１５０は、上記ユーザーが「未ログイン」であると判断すると（ステップＳ１１０でＹＥＳ）、ステップＳ１２０へ制御を進める。ＣＰＵ１５０は、上記ユーザーが「未ログイン」ではない（すなわち、すでにログインしている）と判断すると（ステップＳ１１０でＮＯ）、図１４〜図１８の処理を終了する。
【００８３】
ステップＳ１２０で、ＣＰＵ１５０は、ステップＳ１００で接続を確立させた外部の装置（相手デバイス）の情報を受信する。ＣＰＵ１５０は、当該情報を外部の装置自身から受信してもよいし、サーバーから受信してもよい。
【００８４】
ステップＳ１３０で、ＣＰＵ１５０は、ステップＳ１００で接続を確立させた外部の装置が、ユーザーの認証用の情報を提供する機器（認証機器）であるか否かを判断する。ＣＰＵ１５０は、上記外部の装置が認証機器であると判断すると（ステップＳ１３０でＹＥＳ）、ステップＳ１４０へ制御を進める。ＣＰＵ１５０は、上記外部の装置が認証機器ではないと判断すると（ステップＳ１３０でＮＯ）、図１４〜図１８の処理を終了する。
【００８５】
ステップＳ１４０で、ＣＰＵ１５０は、ステップＳ１００で接続を確立させた外部の装置が、光を用いてユーザーの認証用の情報を検出する認証機器であるか否かを判断する。ステップＳ１００で接続を確立させた外部の装置が、たとえば生体認証装置２００のように光を用いて生体情報を検出する装置であれば、ＣＰＵ１５０は、上記外部の装置が光を用いてユーザーの認証用の情報を検出する認証機器であると判断する。ＣＰＵ１５０は、上記外部の装置が光を用いてユーザーの認証用の情報を検出する認証機器であると判断すると（ステップＳ１４０でＹＥＳ）、ステップＳ１５０へ制御を進め、そうではないと判断すると（ステップＳ１４０でＮＯ）、ステップＳ５２０（図１８）へ制御を進める。
【００８６】
ステップＳ１５０で、ＣＰＵ１５０は、ＭＦＰ１００がスリープ状態であるか否かを判断する。スリープ状態とは、たとえば、ＭＦＰ１００が画像形成動作を実行していない期間において、感光体の帯電電力を低減させる等によりＭＦＰ１００の消費電力量を低減された状態をいう。ＣＰＵ１５０は、ＭＦＰ１００がスリープ状態であると判断すると（ステップＳ１５０でＹＥＳ）、ステップＳ２００へ制御を進める。ＣＰＵ１５０は、ＭＦＰ１００がスリープ状態ではないと判断すると（ステップＳ１５０でＮＯ）、ステップＳ１６０へ制御を進める。
【００８７】
ステップＳ１６０で、ＣＰＵ１５０は、認証処理を実行する。図１９は、ステップＳ１６０における認証処理のサブルーチンのフローチャートである。なお、図１９には、ステップＳ１６０におけるＭＦＰ１００側の処理に加え、生体認証装置２００側の処理も示されている。図１９において、左側のフローチャートは、ＭＦＰ１００側の処理を表わし、右側のフローチャートは、生体認証装置２００側の処理を表わす。
【００８８】
図１９を参照して、左側のフローチャートのステップＳＡ１０で、ＣＰＵ１５０は、生体認証装置２００（ステップＳ１００でＭＦＰ１００が接続を確立した外部の装置の一例）に対して、ユーザー認証に利用される生体情報の検出を要求する。ユーザー認証に利用される生体情報の一例は、指紋の画像である。他の例は、光彩の画像である。
【００８９】
ＭＦＰ１００からの生体情報の検出の要求に応じて、ステップＳＢ１０で、生体認証装置２００は、生体情報を検出し、当該検出の結果をＭＦＰ１００へ送信する。送信される結果の一例は、検出された指紋（および／または、光彩）の画像データである。他の例は、検出された指紋（および／または、光彩）の画像データから取得された特徴データである。
【００９０】
ステップＳＡ２０で、ＣＰＵ１５０は、生体認証装置２００から送信された検出の結果をユーザー情報１６１（図３等）として格納されているデータと照合する。その後、ＣＰＵ１５０は、図１４のステップＳ１６０等の認証処理へ制御をリターンさせる。
【００９１】
図１４に戻って、ステップＳ１６０で認証処理を実行した後、ＣＰＵ１５０は、ステップＳ１７０で、ステップＳ１６０（図１９のステップＳＡ２０）における照合の結果に基づいて、ユーザー認証が成功したか否かを判断する。
【００９２】
たとえば、ＣＰＵ１５０は、生体認証装置２００から送信された結果とユーザー情報１６１のデータとの一致度が、予め定められた程度以上（たとえば、９９％以上）であればユーザー認証が成功したと判断し、予め定められた程度未満（たとえば、９９％未満）であればユーザー認証が失敗したと判断する。
【００９３】
ＣＰＵ１５０は、ユーザー認証が成功したと判断すると（ステップＳ１７０でＹＥＳ）、ステップＳ１９０へ制御を進める。ＣＰＵ１５０は、ユーザー認証が失敗したと判断すると（ステップＳ１７０でＮＯ）、ステップＳ１８０へ制御を進める。
【００９４】
ステップＳ１８０で、ＣＰＵ１５０は、ユーザー認証にリトライをする条件が成立しているか否かを判断する。ＭＦＰ１００では、たとえば、ユーザー認証について、リトライする回数の上限が設定されている。ＣＰＵ１５０は、ステップＳ１６０の認証処理の実行回数が上記上限に達していなければリトライをする条件が成立していると判断し、上記実行回数が既に上記上限に達していればリトライをする条件が成立していないと判断する。ＣＰＵ１５０は、リトライをする条件が成立していると判断すると（ステップＳ１８０でＹＥＳ）、ステップＳ１６０に制御を戻す。ＣＰＵ１５０は、リトライをする条件が成立していないと判断すると（ステップＳ１８０でＮＯ）、図１４〜図１８の処理を終了する。
【００９５】
ステップＳ１９０で、ＣＰＵ１５０は、ディスプレイ１７１を点灯させる。これにより、ディスプレイ１７１は、たとえば、図５の分図Ｂ−３に示されたような操作画面を表示する。その後、ＣＰＵ１５０は、制御をステップＳ５５０（図１８）へ進める。
【００９６】
ステップＳ１５０〜ステップＳ１９０の制御は、図５の分図Ｂ−１〜分図Ｂ−３を参照して説明された制御に相当する。
【００９７】
ステップＳ２００で、ＣＰＵ１５０は、ＭＦＰ１００において、近接通信機器（図３等の近接通信部１７３）と光源（ディスプレイ１７１）とが一体的に構成されているか否かを判断する。図２等に示された操作パネル１７０の構成が、近接通信機器と光源とが一体的に構成されている構成の一例である。図９等に示された操作パネル１７０と認証用ユニット１７３０の構成が、近接通信機器と光源とが一体的に構成されていない構成の一例である。ＣＰＵ１５０は、近接通信機器と光源とが一体的に構成されていると判断すると（ステップＳ２００でＹＥＳ）、ステップＳ２２０（図１５）へ制御を進める。ＣＰＵ１５０は、近接通信機器と光源とが一体的に構成されていないと判断すると（ステップＳ２００でＮＯ）、ステップＳ２１０へ制御を進める。
【００９８】
一例では、ＭＦＰ１００において近接通信機器と光源とが一体的に構成されているか否かを表わす情報が記憶部１６０に格納されている。ＣＰＵ１５０は、当該情報に基づいて、ステップＳ２００の判断を実行する。
【００９９】
他の例では、ＭＦＰ１００において近接通信機器と光源とが一体的に構成されているか否かによって、図１４に示された処理の内容が変更される。より具体的には、ＭＦＰ１００において近接通信機器と光源とが一体的に構成されている場合には、ステップＳ２００およびステップＳ２１０が省略される。この場合、ステップＳ１５０でＮＯの判断時、制御は直接ステップＳ２２０（図１５）へ進められる。ＭＦＰ１００において近接通信機器と光源とが一体的に構成されていない場合には、ステップＳ２００が省略される。この場合、ステップＳ１５０でＮＯの判断時、制御は直接ステップＳ２１０へ進められる。
【０１００】
ステップＳ２１０で、ＣＰＵ１５０は、ＭＦＰ１００が生体認証装置２００における生体情報の検出時に光源を移動させるモードとなるように設定されているか否かを判断する。
【０１０１】
ＭＦＰ１００では、たとえば、ユーザーから、生体認証装置２００における生体情報の検出中に操作パネル１７０を回動させる（図１２および図１３）か否かのモード設定を受け付ける。以降の説明では、生体認証装置２００における生体情報の検出中に操作パネル１７０を回動させるモードを「回動モード」と呼び、当該検出中に操作パネル１７０を回動させないモードを「非回動モード」と呼ぶ。操作パネル１７０の回動に関する「回動モード」または「非回動モード」のいずれに設定されているかを指定する情報は、たとえば記憶部１６０に格納される。ＣＰＵ１５０は、ＭＦＰ１００が「回動モード」に設定されていると判断すると（ステップＳ２１０でＹＥＳ）、ステップＳ４７０（図１６）へ制御を進める。ＣＰＵ１５０は、ＭＦＰ１００が「非回動モード」に設定されていると判断すると（ステップＳ２１０でＮＯ）、ステップＳ２２０（図１５）へ制御を進める。
【０１０２】
図１５を参照して、ステップＳ２２０で、ＣＰＵ１５０は、ＭＦＰ１００が、ユーザー認証中（生体認証装置２００における生体情報の検出中）に消灯する（ディスプレイ１７１の光量を低減する）モードに設定されているか否かを判断する。
【０１０３】
ＭＦＰ１００を当該モードに設定するか否かは、たとえばユーザーによって選択され、選択の結果はたとえば記憶部１６０に格納される。以降の説明では、生体認証装置２００における生体情報の検出中であってもディスプレイ１７１の光量を低減させないモードを「非消灯モード」と呼ぶ。生体認証装置２００における１回目の生体情報の検出中からディスプレイ１７１の光量を低減させるモードを「消灯モード（初回）」と呼ぶ。生体認証装置２００における１回目の生体情報の検出中にはディスプレイ１７１の光量を低減させず、２回目以降の生体情報の検出中にはディスプレイ１７１の光量を低減させるモードを「消灯モード（２回目以降）」と呼ぶ。
【０１０４】
ＣＰＵ１５０は、ＭＦＰ１００が「消灯モード（初回）」または「消灯モード（２回目以降）」に設定されていると判断すると（ステップＳ２２０でＹＥＳ）、ステップＳ２３０へ制御を進める。ＣＰＵ１５０は、ＭＦＰ１００が「非消灯モード」に設定されていると判断すると（ステップＳ２２０でＮＯ）、ステップＳ５２０（図１８）へ制御を進める。
【０１０５】
ステップＳ２３０で、ＣＰＵ１５０は、ＭＦＰ１００が設定されているモードが「消灯モード（２回目以降）」であるか否かを判断する。ＣＰＵ１５０は、ＭＦＰ１００が設定されているモードが「消灯モード（２回目以降）」であると判断すると（ステップＳ２３０でＹＥＳ）、ステップＳ２４０へ制御を進める。ＣＰＵ１５０は、ＭＦＰ１００が設定されているモードが「消灯モード（初回）」であると判断すると（ステップＳ２３０でＮＯ）、ステップＳ３００へ制御を進める。
【０１０６】
ステップＳ２４０で、ＣＰＵ１５０は、次の認証処理（ステップＳ２５０）の実行が１回目の実行であるか否かを判断する。ＣＰＵ１５０は、次の認証処理（ステップＳ２５０）の実行が１回目の実行であると判断すると（ステップＳ２４０でＹＥＳ）、ステップＳ２５０へ制御を進める。ＣＰＵ１５０は、次の認証処理（ステップＳ２５０）の実行が２回目以降の実行であると判断すると（ステップＳ２４０でＮＯ）、すなわち、すでに認証処理（ステップＳ２５０）を実行していると、ステップＳ２７０へ制御を進める。
【０１０７】
ステップＳ２７０で、ＣＰＵ１５０は、消灯処理として、図２等を参照して説明されたように、ディスプレイ１７１が発する光量を低減させる。その後、制御はステップＳ２５０へ進む。
【０１０８】
ステップＳ２５０で、ＣＰＵ１５０は、図１９を参照して説明された認証処理を実行する。その後、制御はステップＳ２６０へ進む。
【０１０９】
ステップＳ２６０で、ＣＰＵ１５０は、ステップＳ２６０（図１９のステップＳＡ２０）における照合の結果に基づいて、ユーザー認証が成功したか否かを判断する。ＣＰＵ１５０は、ユーザー認証が成功したと判断すると（ステップＳ２６０でＹＥＳ）、ステップＳ２９０へ制御を進める。ＣＰＵ１５０は、ユーザー認証が失敗したと判断すると（ステップＳ２６０でＮＯ）、ステップＳ２８０へ制御を進める。
【０１１０】
ステップＳ２８０で、ＣＰＵ１５０は、ユーザー認証にリトライをする条件が成立しているか否かを判断する。ＣＰＵ１５０は、リトライをする条件が成立していると判断すると（ステップＳ２８０でＹＥＳ）、ステップＳ２７０に制御を進める。これにより、まだディスプレイ１７１の光量が低減されていない場合には、ステップＳ２７０で当該光量が低減される。このとき、ＣＰＵ１５０は、光量の低減と共に図６等を参照して説明されたような音声を出力してもよい。ＣＰＵ１５０は、リトライをする条件が成立していないと判断すると（ステップＳ２８０でＮＯ）、図１４〜図１８の処理を終了する。
【０１１１】
ステップＳ２９０で、ＣＰＵ１５０は、ディスプレイ１７１の光量を低減させていた場合には、ディスプレイ１７１の光量を元に戻す。その後、ＣＰＵ１５０は、制御をステップＳ５５０（図１８）へ進める。
【０１１２】
ステップＳ２４０〜ステップＳ２９０の制御は、図８を参照して説明されたような、ＭＦＰ１００が少なくとも一度ユーザー認証に失敗したことを条件としてディスプレイ１７１の光量を低減させる制御を含む。なお、図８の分図Ｃで示された状態において、ＣＰＵ１５０は、図６の分図Ｂを参照して説明されたようなガイダンスの音声を出力してもよい。図８の分図Ｃで示された状態において、ＣＰＵ１５０は、ディスプレイ１７１に、図７の分図Ｂに示されたようなガイダンスを表示してもよい。
【０１１３】
ステップＳ３００で、ＣＰＵ１５０は、ディスプレイ１７１の光量を低減させた場合に、ＭＦＰ１００が、外部装置において表示および／または音声によるガイダンスを実行するように設定されているか否かを判断する。一例では、ユーザーは、ディスプレイ１７１の光量が低減されている期間中、ＭＦＰ１００において、ネットワーク通信部１５５（図３等）を介して通信可能な外部装置にガイダンスを指示する設定のＯＮ／ＯＦＦを切り替えることができる。以降の説明では、このような設定を「外部ガイダンス設定」と呼ぶ。外部ガイダンス設定のＯＮ／ＯＦＦを示す情報は、記憶部１６０に格納される。
【０１１４】
ＣＰＵ１５０は、「外部ガイダンス設定」がＯＮであれば（ステップＳ３００でＹＥＳ）、ステップＳ４１０（図１７）へ制御を進める。ＣＰＵ１５０は、「外部ガイダンス設定」がＯＦＦであれば（ステップＳ３００でＮＯ）、ステップＳ３１０へ制御を進める。
【０１１５】
ステップＳ３１０で、ＣＰＵ１５０は、ディスプレイ１７１の光量を低減させた場合に、ＭＦＰ１００がディスプレイ１７１においてガイダンス画面を表示するように設定されているか否かを判断する。一例では、ユーザーは、ディスプレイ１７１の光量が低減されている期間中、ディスプレイ１７１においてガイダンス画面を表示するか否かを指示する設定のＯＮ／ＯＦＦを切り替えることができる。以降の説明では、このような設定を「ガイダンス表示設定」と呼ぶ。ガイダンス表示設定のＯＮ／ＯＦＦを示す情報は、記憶部１６０に格納される。
【０１１６】
ＣＰＵ１５０は、「ガイダンス表示設定」がＯＮであれば（ステップＳ３１０でＹＥＳ）、ステップＳ３２０へ制御を進める。ＣＰＵ１５０は、「ガイダンス表示設定」がＯＦＦであれば（ステップＳ３１０でＮＯ）、ステップＳ２７０へ制御を進める。
【０１１７】
ステップＳ３２０で、ＣＰＵ１５０は、ガイダンス表示処理として、図７の分図Ｂを参照して説明されたように、ディスプレイ１７１が発する光量を低減させつつ、ガイダンス画面を表示する。その後、制御はステップＳ３３０へ進む。
【０１１８】
ステップＳ３３０で、ＣＰＵ１５０は、図１９を参照して説明された認証処理を実行する。その後、制御はステップＳ３４０へ進む。
【０１１９】
ステップＳ３４０で、ＣＰＵ１５０は、ステップＳ３３０（図１９のステップＳＡ２０）における照合の結果に基づいて、ユーザー認証が成功したか否かを判断する。ＣＰＵ１５０は、ユーザー認証が成功したと判断すると（ステップＳ３４０でＹＥＳ）、ステップＳ３４２へ制御を進める。ＣＰＵ１５０は、ユーザー認証が失敗したと判断すると（ステップＳ３４０でＮＯ）、ステップＳ３５０へ制御を進める。
【０１２０】
ステップＳ３５０で、ＣＰＵ１５０は、ユーザー認証にリトライをする条件が成立しているか否かを判断する。ＣＰＵ１５０は、リトライをする条件が成立していると判断すると（ステップＳ３５０でＹＥＳ）、ステップＳ３３０へ制御を戻す。ＣＰＵ１５０は、リトライをする条件が成立していないと判断すると（ステップＳ３５０でＮＯ）、図１４〜図１８の処理を終了する。
【０１２１】
ステップＳ３４２で、ＣＰＵ１５０は、ディスプレイ１７１における表示を元に戻す（図７の分図Ｃ）。その後、ＣＰＵ１５０は、制御をステップＳ５５０（図１８）へ進める。
【０１２２】
ステップＳ３２０〜ステップＳ３５０の制御は、図７を参照して説明されたようなガイダンスを表示する制御を含む。
【０１２３】
図１６を参照して、ステップＳ４７０で、ＣＰＵ１５０は、光源移動処理を実行する。光源移動処理において、ＣＰＵ１５０は、たとえば、アクチュエーター１７５（図１０）を駆動することにより、操作パネル１７０を図１２の分図Ｂに示された状態へと変位させる。
【０１２４】
ステップＳ４８０で、ＣＰＵ１５０は、図１９を参照して説明された認証処理を実行する。その後、制御はステップＳ４９０へ進む。
【０１２５】
ステップＳ４９０で、ＣＰＵ１５０は、ステップＳ４８０（図１９のステップＳＡ２０）における照合の結果に基づいて、ユーザー認証が成功したか否かを判断する。ＣＰＵ１５０は、ユーザー認証が成功したと判断すると（ステップＳ４９０でＹＥＳ）、ステップＳ５１０へ制御を進める。ＣＰＵ１５０は、ユーザー認証が失敗したと判断すると（ステップＳ４９０でＮＯ）、ステップＳ５００へ制御を進める。
【０１２６】
ステップＳ５００で、ＣＰＵ１５０は、ユーザー認証にリトライをする条件が成立しているか否かを判断する。ＣＰＵ１５０は、リトライをする条件が成立していると判断すると（ステップＳ５００でＹＥＳ）、ステップＳ４８０ヘ制御を戻す。ＣＰＵ１５０は、リトライをする条件が成立していないと判断すると（ステップＳ５００でＮＯ）、図１４〜図１８の処理を終了する。
【０１２７】
ステップＳ５１０で、ＣＰＵ１５０は、操作パネル１７０の位置を図１２の分図Ａに示された位置に戻す。その後、ＣＰＵ１５０は、制御をステップＳ５５０（図１８）へ進める。
【０１２８】
ステップＳ４７０〜ステップＳ５１０の制御は、図１２および図１３を参照して説明されたような、操作パネル１７０を回動させる制御を含む。なお、図１２の分図Ｂおよび図１３の分図Ｂで示された状態において、ＣＰＵ１５０は、ディスプレイ１７１の光量を低減させてもよい。図１２の分図Ｂおよび図１３の分図Ｂで示された状態において、ＣＰＵ１５０は、図６の分図Ｂを参照して説明されたようなガイダンスの音声を出力してもよい。図１２の分図Ｂおよび図１３の分図Ｂで示された状態において、ＣＰＵ１５０は、ディスプレイ１７１に、図７の分図Ｂに示されたようなガイダンスを表示してもよい。
【０１２９】
図１７を参照して、ステップＳ４１０で、ＣＰＵ１５０は、消灯処理として、図２等を参照して説明されたように、ディスプレイ１７１が発する光量を低減させる。その後、制御はステップＳ４２０へ進む。
【０１３０】
ステップＳ４２０で、ＣＰＵ１５０は、ネットワーク通信部１５５を介して、他の装置にガイダンスを指示する。一例では、ＣＰＵ１５０は、他の装置に、図７の分図Ｂのディスプレイ１７１が表示するような画面の表示を指示する。他の例では、ＣＰＵ１５０は、ＣＰＵ１５０は、他の装置に図６の分図Ｂを参照して説明されたような音声の出力を指示する。さらに他の例では、ＣＰＵ１５０は、他の装置に、上記画面の表示および上記音声の出力を指示する。これに応じて、当該他の装置は、上記画面の表示および／または上記音声の出力を実行する。
【０１３１】
ステップＳ４３０で、ＣＰＵ１５０は、図１９を参照して説明された認証処理を実行する。その後、制御はステップＳ４４０へ進む。
【０１３２】
ステップＳ４４０で、ＣＰＵ１５０は、ステップＳ２６０（図１９のステップＳＡ２０）における照合の結果に基づいて、ユーザー認証が成功したか否かを判断する。ＣＰＵ１５０は、ユーザー認証が成功したと判断すると（ステップＳ４４０でＹＥＳ）、ステップＳ４６０へ制御を進める。ＣＰＵ１５０は、ユーザー認証が失敗したと判断すると（ステップＳ４４０でＮＯ）、ステップＳ４５０へ制御を進める。
【０１３３】
ステップＳ４５０で、ＣＰＵ１５０は、ユーザー認証にリトライをする条件が成立しているか否かを判断する。ＣＰＵ１５０は、リトライをする条件が成立していると判断すると（ステップＳ４５０でＹＥＳ）、ステップＳ４３０へ制御を戻す。ＣＰＵ１５０は、リトライをする条件が成立していないと判断すると（ステップＳ４５０でＮＯ）、図１４〜図１８の処理を終了する。
【０１３４】
ステップＳ４６０で、ＣＰＵ１５０は、ディスプレイ１７１の光量を元に戻す。これにより、ディスプレイ１７１は、ステップＳ４１０で消灯した後（たとえば、図５の分図Ｂ）、ステップＳ４６０で再度点灯する（たとえば、図５の分図Ｃ）。
【０１３５】
この例において、「他の装置」は、生体認証装置２００を含んでもよい。すなわち、ガイダンス表示および／またはガイダンス音声の出力は、生体認証装置２００において実行されてもよい。
【０１３６】
図１９を参照して、ステップＳ５２０で、ＣＰＵ１５０は、図１９を参照して説明された認証処理を実行する。その後、制御はステップＳ５３０へ進む。
【０１３７】
ステップＳ５３０で、ＣＰＵ１５０は、ステップＳ５２０（図１９のステップＳＡ２０）における照合の結果に基づいて、ユーザー認証が成功したか否かを判断する。ＣＰＵ１５０は、ユーザー認証が成功したと判断すると（ステップＳ５３０でＹＥＳ）、ステップＳ５５０へ制御を進める。ＣＰＵ１５０は、ユーザー認証が失敗したと判断すると（ステップＳ５３０でＮＯ）、ステップＳ５４０へ制御を進める。
【０１３８】
ステップＳ５４０で、ＣＰＵ１５０は、ユーザー認証にリトライをする条件が成立しているか否かを判断する。ＣＰＵ１５０は、リトライをする条件が成立していると判断すると（ステップＳ５４０でＹＥＳ）、ステップＳ５２０へ制御を戻す。ＣＰＵ１５０は、リトライをする条件が成立していないと判断すると（ステップＳ５４０でＮＯ）、図１４〜図１８の処理を終了する。
【０１３９】
ステップＳ５５０で、ＣＰＵ１５０は、ユーザー認証が成功したユーザーをＭＦＰ１００にログインさせる。その後、ＣＰＵ１５０は、図１４〜図１８に示される処理を終了させる。
【０１４０】
［開示の要約］
（１）  以上説明された本開示では、画像形成装置の一例であるＭＦＰ１００は、生体認証装置（生体認証装置２００）と近接通信するように構成された通信部（近接通信部１７３）と、表示部（ディスプレイ１７１、ハードウェアキー群１７２Ａの各キーのＬＥＤ）と、生体認証装置によって検出された生体情報を用いて認証処理（図１９の左側のフローチャート）を実行するように構成されている制御部（ＣＰＵ１５０）とを備える。制御部は、通信部を介して生体認証装置から生体認証装置が光学的に生体情報を検出することを表わす情報を受信した場合（ステップＳ１４０でＹＥＳ）、生体認証装置が生体情報を検出しているときに、表示部から出力され生体認証装置に入射する光の量を低減するための制御（図２等）を実行するように構成されている。
【０１４１】
一例では、ＣＰＵ１５０が認証処理（たとえば、図１５のステップＳ２５０）を実行しているときに、生体認証装置２００は、生体情報を検出する（図１９のステップＳＢ１０）。ＣＰＵ１５０は、認証処理（たとえば、図１５のステップＳ２５０）の前に消灯処理（図１５のステップＳ２７０）を実行する。また、ＣＰＵ１５０は、認証処理（たとえば、図１５のステップＳ３３０）の前にガイダンス表示処理（図１５のステップＳ３３０）を実行する。したがって、生体認証装置２００が生体情報を検出しているとき、ディスプレイ１７１の光量が低減される。
【０１４２】
（２）  制御部は、表示部が発する光量を低減させることにより、上記制御を実行するように構成されていてもよい（図２、図５、図６、等）。
【０１４３】
（３）  制御部は、表示部の消灯中に生体認証装置から当該生体認証装置が光学的に生体情報を検出することを表わす情報を受信した場合には（ステップＳ１４０でＹＥＳ）、生体認証装置による生体情報の検出の終了後に表示部を点灯させるように構成されていてもよい（ステップＳ１９０）。
【０１４４】
（４）  画像形成装置は、音声出力部（スピーカー１７４）を備えていてもよい。制御部は、上記制御の実行中に、音声出力部による音声の出力（図６の分図Ｂ等）および外部の表示装置による報知（ステップＳ４２０の指示に応じた「他の装置」による報知）のうち、少なくとも一方により、上記制御が実行されていることを報知するように構成されていてもよい。
【０１４５】
（５）  上記制御は、表示部で生体認証装置の配置に関するガイダンスを表示することを含んでいてもよい（図７の分図Ｂにおけるディスプレイ１７１の表示）。
【０１４６】
（６）  画像形成装置は、表示部を変位させるための変位部材（アクチュエーター１７５）をさらに備えていてもよい。制御部は、表示部が光を発生する角度を変更するように変位部材を駆動させることにより、上記制御を実行するように構成されていてもよい（図１２）。
【０１４７】
（７）  制御部は、少なくとも一度認証処理に失敗したことを条件として、上記制御を実行するように構成されていてもよい（ステップＳ２４０，ステップＳ２７０）。
【０１４８】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１４９】
１００  画像形成装置、１０１  スキャン制御部、１０２  プリント制御部、１０３  コピー制御部、１０４  通信制御部、１０５  ユーザー管理部、１０６  データ管理部、１０７  パネル表示部、１０８  ネットワーク制御部、１０９  ファクシミリ制御部、１１０  姿勢制御部、１５１  画像処理部、１５２  画像形成部、１５３  画像読取部、１５４  ファクシミリ通信部、１５５  ネットワーク通信部、１６０  記憶部、１６１  ユーザー情報、１７０  操作パネル、１７１  ディスプレイ、１７２  操作部、１７２Ａ  ハードウェアキー群、１７３  近接通信部、１７３Ａ  タッチエリア、１７４  スピーカー、１７５  アクチュエーター、１８０  軸、２００  生体認証装置、１７３０  認証用ユニット。
【図１】
2018098554.tif 000003
【図２】
2018098554.tif 000004
【図３】
2018098554.tif 000005
【図４】
2018098554.tif 000006
【図５】
2018098554.tif 000007
【図６】
2018098554.tif 000008
【図７】
2018098554.tif 000009
【図８】
2018098554.tif 000010
【図９】
2018098554.tif 000011
【図１０】
2018098554.tif 000012
【図１１】
2018098554.tif 000013
【図１２】
2018098554.tif 000014
【図１３】
2018098554.tif 000015
【図１４】
2018098554.tif 000016
【図１５】
2018098554.tif 000017
【図１６】
2018098554.tif 000018
【図１７】
2018098554.tif 000019
【図１８】
2018098554.tif 000020
【図１９】
2018098554.tif 000021